(57)【要約】【課題】  部材の共通化を図りつつ、上下に並んで配置された棚装置間における上下間隔の調整の自由度を高めてスペースの無駄を少なくすることができるようにすること。【解決手段】  陳列装置１０は、左右一対の支柱１２，１２と、これら支柱１２，１２にブラケット１６を介して支持されるとともに、上下に並べて複数配置された棚装置１５とを備えて構成されている。棚装置１５は、各支柱１２，１２の前方に位置する背部１８と、この背部１８の下端側に連なって前方に向けられた底部１９とを備えて構成されている。背部１８は、その上部における左右コーナー領域にそれぞれ設けられた一対の退避領域２５を備えている。退避領域２５は、切欠部２７により構成されており、上方に隣接する棚装置１５を支持するブラケット１６と背部１８との干渉を回避するようになっている。【選択図】      図３
2005118262.tif 000002
【特許請求の範囲】
【請求項１】
左右一対の支持体にブラケットを介して支持されるとともに、前記各支持体間に上下に並べて複数配置可能な棚装置において、
前記各支持体の前方に位置する背部と、この背部の下部側に連なって前方に向けられた底部とを備え、
前記背部は、直近上方に配置される他の棚装置を支持するブラケットとの干渉を回避する退避領域を備えていることを特徴とする棚装置。
【請求項２】
前記退避領域は、背部の上部コーナー領域に設けられた切欠部により構成されていることを特徴とする請求項１記載の棚装置。
【請求項３】
前記底部は、前後方向中間部と前端部に左右方向に延びる溝部をそれぞれ備え、各溝部は、前方に向かって上昇する前傾斜面部と、この前傾斜面部の下部に連なるとともに、後方に向かって上昇する後傾斜面部とからなり、
前記後傾斜面部は、その前後幅が前傾斜面部の前後幅より大きく設定されている一方、前傾斜面部と後傾斜面部とは略直交するように形成されていることを特徴とする請求項１又は２記載の棚装置。
【請求項４】
前記底部の後部溝部の後端側と前部溝部の後端側には、略同一線上に位置する平面部がそれぞれ形成されていることを特徴とする請求項３記載の棚装置。
【発明の詳細な説明】
【技術分野】
【０００１】
本発明は、各支持体に上下に並べて複数配置される棚装置に係り、更に詳しくは、各棚装置間に無駄なスペースが生じることを抑制することができる棚装置に関する。
【背景技術】
【０００２】
従来より、ＣＤやＤＶＤ等のパッケージを陳列する棚装置としては、例えば、図１１に示されるタイプのものが知られている（特許文献１参照）。同図に示される棚装置８０は、上下方向に延びる背部８１と、この背部８１の下部に連なるとともに、水平方向前方（図中左方）に向けられた底部８２とを備えており、上下に延びる支持体８４の前面側に、前方に向けられる一対のブラケット８５を介して支持されている。ここで、例えば、ＤＶＤのパッケージＰ１を図１１中上方の棚装置８０に左右に並べて陳列し、ＤＶＤのパッケージＰ１より高さの低いＣＤのパッケージＰ２を同図中下方の棚装置８０に陳列する場合、それぞれのパッケージＰ１，Ｐ２の高さに対応して背部８２の高さが異なる二種類の棚装置８０を用意して陳列を行っている。
【０００３】
【特許文献１】特開平１０−９４４６３号公報
【発明の開示】
【発明が解決しようとする課題】
【０００４】
しかしながら、このような構成にあっては、サイズが異なるパッケージの種類の増加によって棚装置８０の種類も増加し、これに伴う在庫管理やコスト的な負担が大きくなるという不都合を生じる。
ここで、例えば、図１２に示されるように、各棚装置８０の背部８１の高さをＤＶＤのパッケージＰ１の高さに統一すれば、棚装置８０の種類の増加を抑制できるものの、陳列されたＣＤのパッケージＰ２と、その上方に位置する棚装置８０の底部８２との間に無駄なスペースＳが生じ、支持体８４に対する棚装置８０の配置数が減少するという不都合を招来する。
この場合、棚装置８０，８０間の上下間隔を小さくできれば、前記無駄なスペースＳが解消されると考えられるが、従来構造では、ＣＤのパッケージＰ２を陳列する棚装置８０の背部８１と、これの上方の棚装置８０を支持するブラケット８５とが相互に干渉するため、ＣＤのパッケージＰ２に対応して前記上下間隔を小さくできないという不都合もある。
【０００５】
［発明の目的］
本発明は、このような不都合に着目して案出されたものであり、その目的は、部材の共通化を図ることができ、棚装置間における上下間隔の調整の自由度を高めて陳列スペースの無駄を少なくすることができる棚装置を提供することにある。
【課題を解決するための手段】
【０００６】
前記目的を達成するため、本発明は、左右一対の支持体にブラケットを介して支持されるとともに、前記各支持体間に上下に並べて複数配置可能な棚装置において、
前記各支持体の前方に位置する背部と、この背部の下部側に連なって前方に向けられた底部とを備え、
前記背部は、直近上方に配置される他の棚装置を支持するブラケットとの干渉を回避する退避領域を備える、という構成を採っている。
【０００７】
本発明において、前記退避領域は、背部の上部コーナー領域に設けられた切欠部により構成することが好ましい。
【０００８】
また、前記底部は、前後方向中間部と前端部に左右方向に延びる溝部をそれぞれ備え、各溝部は、前方に向かって上昇する前傾斜面部と、この前傾斜面部の下部に連なるとともに、後方に向かって上昇する後傾斜面部とからなり、
前記後傾斜面部は、その前後幅が前傾斜面部の前後幅より大きく設定されている一方、前傾斜面部と後傾斜面部とは略直交するように形成される、という構成も好ましくは採用される。
【０００９】
更に、前記底部の後部溝の後端側と前部溝の後端側には、略同一線上に位置する平面部がそれぞれ形成される、という構成も採用することができる。
【発明の効果】
【００１０】
本発明によれば、上下に並ぶ棚装置の底部間の間隔が背部の高さより短くなるように各棚装置を配置した場合であっても、背部とその上方のブラケットとの干渉が退避領域により回避される。つまり、各棚装置の背部の高さを同一としたときに、従来よりも各棚装置における上下間隔の調整幅を拡大することが可能となる。これにより、背部の高さより低い高さの陳列対象物を底部上に配置するときに、当該陳列対象物とその上方の棚装置の底部との間に無駄なスペースが生じないように棚装置の高さ位置を調整でき、支持体に対し、棚装置の配置数を極力多く設定して陳列スペースの有効利用を図ることが可能となる。
ここで、背部の一部に切欠部を設けることで退避領域を簡単に構成することができる他、切欠部内にブラケットを位置させることで、前述の干渉を回避することが可能となる。
また、例えば、陳列対象物をＤＶＤのパッケージとした場合、当該パッケージの表面を前方に向けて上端側が背部にもたれ掛かる傾斜姿勢としたときに、パッケージの下端側を前後に位置する溝部に選択的に受容させることにより、パッケージの傾斜角度を調整することが可能となる。しかも、後傾斜面部の前後幅が前傾斜面部の前後幅より大きく設定されているので、後傾斜面部上でパッケージの下端を前傾斜面部側に滑らせるようにしてパッケージを前記傾斜姿勢に容易にセットすることができる。更に、前傾斜面部と後傾斜面部とは略直交するので、棚装置の正面側から溝の内部が見易くなり、パッケージの下端側を各傾斜面部に跨るようにスムースに受容させることが可能となる。
また、前記パッケージの背部側を前方に向けた状態で底部上に載せたときに、当該陳列対象物を前後に位置する二つの平面部により安定的に支持することが可能となる。
【発明を実施するための最良の形態】
【００１１】
以下、本発明の実施の形態を図面を参照しながら説明する。なお、本明細書において、「左」、「右」、「上」、「下」は、図１を基準とし、「前」は、図２中左側を示す一方、「後」は、同図中右側について用いられる。
【００１２】
図１には、本発明が適用された実施形態に係る陳列装置の概略正面図が示され、図２には、図１の右側面図が示されている。また、図３には、図１の一部概略拡大斜視図が示され、図４には、図３の要部分解斜視図が示されている。これら図において、陳列装置１０は、前後方向に延びる左右一対の脚部１１，１１と、これら脚部１１，１１の後端側上面に連結されるとともに、上下方向に延びる支持体を構成する左右一対の支柱１２，１２と、これら支柱１２，１２の上部相対面間を連結する連結部材１３と、各支柱１２，１２の前方に設けられるとともに、上下に並べて複数配置された棚装置１５と、支柱１２，１２の前端面に形成されたスリット１２Ａに挿入されて支柱１２，１２に支持されるとともに、各棚装置１５の左右両側をそれぞれ支持するブラケット１６とを備えて構成されている。
【００１３】
前記棚装置１５は、各支柱１２，１２の前方に位置する背部１８と、この背部１８の下部側に連なって前方に向けられた底部１９と、背部１８及び底部１９の左右両側に取り付けられた一対の側部材２０，２０とを備えて構成されている。ここで、背部１８及び底部１９は、一枚のスチール板等を折り曲げ加工することにより形成されている。
【００１４】
前記背部１８は、左右方向に長い略長方形状に形成されるとともに、左右両側領域が支柱１２，１２と前後に重なる長さを備えた背部本体２２と、この背部本体２２の上端側に連なるとともに、側面視横向き略Ｌ字状をなす補強片部２３と、背部本体２２の面内上下方向中央領域において、左右方向に沿って所定間隔毎に形成された上下に延びる複数のスロット穴２４と、背部本体２２の上部における左右の各コーナー領域にそれぞれ設けられた一対の退避領域２５，２５とを備えている。補強片部２３は、図５にも示されるように、後方下端側が前方に向かって二枚厚に折り返されている。また、退避領域２５は、図３及び図６に示されるように、上下に縦長となる略Ｌ状の切欠部２７により構成されており、直近上方に隣接する棚装置１５を支持するブラケット１６を内側に受容して当該ブラケット１６と背部１８との干渉を回避するようになっている。なお、背部１８の高さは、特に限定されるものでないが、本実施形態では、厚さの薄い箱状をなすＤＶＤのパッケージＰ１（図５参照）より若干高い寸法に設定されている。
【００１５】
前記底部１９は、図５及び図７に示されるように、前端部と前後方向中間部に位置するとともに、左右方向に延びる前部溝部２９及び後部溝部３０と、これらの溝部２９，３０の後端側にそれぞれ連なって形成された前部平面部３１と後部平面部３２とを備えて構成されている。
【００１６】
前部溝部２９及び後部溝部３０は、側面視で略Ｌ字の軌跡に沿う形状とされ、背部本体２２の面を略鉛直面内に位置させたときに、相互に略同一高さ及び略同一前後幅に形成されている。具体的には、前方に向かって上昇する前傾斜面部３４と、この前傾斜面部３４の下部に連なるとともに、後方に向かって上昇する後傾斜面部３５とによりそれぞれ構成されている。各後傾斜面部３５，３５は、その前後幅が前傾斜面部３４の前後幅より大きく設定され、平面部３１，３２の上面との交差角度θが約１５°に設定されている一方、前傾斜面部３４と後傾斜面部３５とは、略直交するように形成されている。なお、前部溝部２９における前傾斜面部３４は、スチール板を二枚厚に折り返して構成されている。
【００１７】
前記前部平面部３１と後部平面部３２は、略同一線上に位置するとともに、前記背部本体２２の前面と略直交する面上に設けられている。前部平面部３１は、その面内に背部１８のスロット穴２４に対応する位置に形成されて前後に延びるスロット穴３６を備え、これらスロット穴２４，３６に図示しない板状をなす仕切部材の突起が挿入され当該仕切部材を支持するようになっている。なお、前部平面部３１及び後部平面部３２の各上面と、前部溝部２９における前傾斜面部３４の上端とは、略同一面上に位置しており、前記パッケージＰ１の側端面部ＰＡを前方に向けたときに、底面部ＰＢが三箇所位置で支持されることとなる。
【００１８】
前記側部材２０は、左右略対称形状のものが一対用いられるものである。従って、以下の説明では、右側の側部材２０について図示、説明するものとし、反対側についての説明を省略するものとする。
【００１９】
側部材２０は、図７ないし図９に示されるように、背部本体２２の後面における右端側に沿って上下方向に位置するとともに、背部本体２２の後面に溶接等の手段を介して取り付けられる取付面部３８と、この取付面部３８の内側すなわち左側における略上半分領域に連なって後方に向けられた内側形成面部３９と、取付面部３８の外側すなわち右側における略下半分領域に連なって後方に向けられた外側形成面部４０と、この外側形成面部４０の下側に連なって当該外側形成面部４０と略同一面上に位置するとともに、前記底部１９の下側に突き出る突出面部４１と、突出面部４１の前部上端側に連なるとともに、後部溝部３０の後傾斜面部３５の下面側に取り付けられる底部支持面部４２とを備えて構成されている。
【００２０】
前記取付面部３８の上部領域には、前記切欠部２７の形状に対応する位置に切欠部４４が形成されている。取付面部３８の面内には、最も右側に位置するスロット穴２４に重なる位置にスロット穴４５が設けられている。一方、外側形成面部４０は、その上下二箇所位置にそれぞれ形成された平面視略Ｌ字状の切り起こし片４６（図７参照）を備え、当該切り起こし片４６と、取付面部３８及び外側形成面部４０とにより囲まれる位置に上下に貫通する二つの穴若しくは通路４７，４７を形成するようになっている。
【００２１】
前記ブラケット１６は、支柱１２の前端面と背部１８の後面との間に空間を生じさせ、且つ、背部１８の上端側が後方に傾倒する姿勢で棚装置１５を支持するようになっている。ブラケット１６は、図４及び図５に示されるように、略鉛直面内に位置する本体面部４９と、この本体面部４９の前端側上下二箇所位置に形成されるとともに、前記各穴若しくは通路４７，４７に下側から挿入される上向きの二つの突出部５０，５０と、本体面部４９の後端側に形成されて前記スリット１２Ａにそれぞれ挿入される複数のフック５１と、本体面部４９の前端側下部位置から前方に突出して底部１９の下側に位置する下側面部５２とを備えた一枚のスチール板等により構成されている。ここで、各フック５１の下端縁は、凸凹を備えた形状とされ、当該凹凸と支柱のスリット１２Ａとの引っ掛け位置を調整することにより、ブラケット１６の前後方向への傾斜角度を調整でき、ひいては、棚装置１５の背部１８の傾斜角度も調整できるようになっている。
【００２２】
なお、図２において、支柱１２の下方前側には、二つの棚装置１５を支持する補助支柱５４が設けられ、この補助支柱５４は、後方に向かうに従って上昇する傾斜姿勢とされるとともに、補助ブラケット５５を介して支柱１２に支持されている。これにより、補助支柱５４に支持される棚装置１５は、その他の棚装置１５より背部１８の上端側が後方に大きく傾倒するようになっている。
【００２３】
以上の構成において、各支柱１２，１２に棚装置１５を支持させる場合、図５に示されるように、ブラケット１６の突出部５０，５０を側部材２０の穴若しくは通路４７，４７に挿入し、棚装置１５の左右両側にブラケット１６，１６をそれぞれ取り付けた状態で、当該ブラケット１６，１６のフック５１を支柱１２のスリット１２Ａに挿入する。このように取り付けられた棚装置１５に、ＤＶＤのパッケージＰ１を陳列する場合、当該パッケージＰ１の側端面部ＰＡを前方に向けると、底面部ＰＢが前部平面部３１及び後部平面部３２の各上面と、前部溝部２９における前傾斜面部３４の上端とにより支持される。
【００２４】
一方、図１０に示されるように、ＤＶＤのパッケージＰ１の表面部ＰＣを前方に向けて陳列する場合、頂面部ＰＤ側を背部１８にもたれ掛け、底面部ＰＢ側を前部溝部２９又は後部溝部３０に受容させることで、表面部ＰＣが前方上向きの傾斜姿勢となる。ここで、底面部ＰＢ側を受容させる溝部は、任意に選択することができ、前部溝部２９に底面部ＰＢ側を受容させた場合、後部溝部３０に底面部ＰＢ側を受容させた場合に比べて、パッケージＰ１の頂面部ＰＤ側が後方に倒れた傾斜姿勢となる。
【００２５】
ＤＶＤのパッケージＰ１の表面部ＰＣを前方に向けて陳列するときに、底面部ＰＢ側を後傾斜面部３５の後方領域に乗せて頂面部ＰＤ側を背部１８にもたれ掛けた後、底面部ＰＢ側を手前に引くようにするとよい。これにより、底面部ＰＢが前傾斜面部３４及び後傾斜面部３５の上部領域にセットされ、左右に並ぶ複数のパッケージＰ１の表面部ＰＣを略面一に簡単に揃えることができ、且つ、パッケージＰ１を安定して支持することが可能となる。
【００２６】
また、パッケージＰ１の底面部ＰＢ側を受容させる溝部を、前部溝部２９から後部溝部３０に変更する場合、パッケージＰ１の下方領域を後方に向かって押し込めばよい。このとき、頂面部ＰＤ側が背部本体２２の前面を滑りながら上昇するとともに、底面部ＰＢ側が前部溝部２９の後傾斜面部３５、前部平面部３１、後部溝部３０の前傾斜面部３４の順に滑り移動して前部溝部２９内に落ち込んで受容されることとなる。
【００２７】
ここで、例えば、図２中上から二番目の棚装置１５（以下、下方の棚装置１５Ａとする。）に示されるように、ＤＶＤのパッケージＰ１より高さの低いＣＤのパッケージＰ２を底部１９上に陳列する場合、その上方に隣接する棚装置１５（同図中一番上の棚装置、以下、上方の棚装置１５Ｂとする）を、図２及び図３に示されるように配置することができる。すなわち、下方の棚装置１５Ｂを支柱１２に支持させた後、下方の棚装置１５Ｂにおける背部１８の退避領域２５内に、上方の棚装置１５Ａに取り付けられたブラケット１６を位置させて当該ブラケット１６を支柱１２に支持させる。これにより、各棚装置１５Ａ，１５Ｂの背部１８が前後に重なるように配置されるとともに、各棚装置１５Ａ，１５Ｂの底部１９の上下間隔をＣＤのパッケージＰ２の高さより若干大きい間隔に設定することができる。
【００２８】
従って、このような実施形態によれば、背部１８に退避領域２５を設けたので、上下に隣接する棚装置１５の底部１９間の間隔を背部１８の高さより小さく設定することができる。これにより、背部１８の高さより低いＣＤのパッケージＰ２等を底部１９上に陳列した場合であっても、当該パッケージＰ２と、その上方の棚装置１５の底部１９との間に無駄なスペースが生じることを回避でき、図２に示されるように、支柱１２に支持可能な棚装置１５の総数を増大させることが可能となる。
【００２９】
本発明を実施するための最良の構成などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した構成は、本発明の理解を容易にするために例示的に記載したものであり、本発明を限定するものではないから、例えば、前記切欠部２７の形状は、図示構成例に限られず、背部１８の上部コーナー領域を円弧状やテーパ状に切り欠いた形状としてもよい。
また、底部１９上に陳列する対象物は、ゲームソフトのパッケージや本、雑誌等の書籍類とすることも可能である。
更に、側部材２０は、背部１８及び底部１９と別体に限らず、一体に構成してもよい。
【産業上の利用可能性】
【００３０】
本発明に係る棚装置は、主に、小売店の店舗やレンタルショップ等の陳列装置に適用して利用することができる。
【図面の簡単な説明】
【００３１】
【図１】本発明が適用された実施形態に係る陳列装置の概略正面図。
【図２】図１の右側面図。
【図３】図１の陳列装置における上部右側の概略拡大斜視図。
【図４】図３の要部分解斜視図。
【図５】図４の右側面図。
【図６】棚装置の一部正面図。
【図７】棚装置の一部平面図。
【図８】棚装置の一部分解斜視図。
【図９】図４のＡ−Ａ線に沿う断面図。
【図１０】図２の一番上の棚装置回りを示す拡大図。
【図１１】従来例に係る棚装置の側面図。
【図１２】他の従来例に係る棚装置の側面図。
【符号の説明】
【００３２】
１２  支柱（支持体）
１５  棚装置
１６  ブラケット
１８  背部
１９  底部
２５  退避領域
２７  切欠部
２９  前部溝部
３０  後部溝部
３１  前部平面部
３２  後部平面部
３４  前傾斜面部
３５  後傾斜面部
【図１】
2005118262.tif 000003
【図２】
2005118262.tif 000004
【図３】
2005118262.tif 000005
【図４】
2005118262.tif 000006
【図５】
2005118262.tif 000007
【図６】
2005118262.tif 000008
【図７】
2005118262.tif 000009
【図８】
2005118262.tif 000010
【図９】
2005118262.tif 000011
【図１０】
2005118262.tif 000012
【図１１】
2005118262.tif 000013
【図１２】
2005118262.tif 000014